(57)【要約】【課題】記録媒体から読出したBi-phase変調されたATIP信号をBi-phase復調する際に、ATIP信号中におけるBi-phase変調規則の誤りを検出して訂正する誤り訂正方法及び誤り訂正装置において、誤訂正の実施を抑制可能とした誤り訂正方法及び誤り訂正装置を提供する。【解決手段】ATIP信号中の同期信号における誤り発生の傾向を検出し、この誤り発生の傾向に基づいて前記ATIP信号中のデータ領域で検出した誤りを訂正する。誤り発生の傾向は、同期信号を２bitごとのブロックに区分して、ブロック内の前方側bitでの誤り発生回数と、ブロック内の後方側bitでの誤り発生回数との比較、または、ブロック内の前方側bitでの０→１の誤り発生回数と、ブロック内の前方側bitでの１→０の誤り発生回数と、ブロック内の後方側bitでの０→１の誤り発生回数と、ブロック内の後方側bitでの１→０の誤り発生回数との比較により検出する。【選択図】    図２
2004199751.tif 000002
【特許請求の範囲】
【請求項１】
記録媒体から読出したBi-phase変調された信号をBi-phase復調する際に、前記信号中におけるBi-phase変調規則の誤りを検出して訂正する誤り訂正方法において、
前記信号中の同期信号領域における誤り発生の傾向を検出し、この誤り発生の傾向に基づいて前記信号中のデータ領域で検出した誤りを訂正することを特徴とする誤り訂正方法。
【請求項２】
前記誤り発生の傾向の検出は、前記同期信号領域を２bitごとのブロックに区分して、前記ブロック内の前方側bitでの誤り発生回数と、前記ブロック内の後方側bitでの誤り発生回数との比較結果の検出であることを特徴とする請求項１記載の誤り訂正方法。
【請求項３】
前記誤り発生の傾向の検出は、前記同期信号領域を２bitごとのブロックに区分して、前記ブロック内の前方側bitでの「０」を「１」とした誤り発生回数と、前記ブロック内の前方側bitでの「１」を「０」とした誤り発生回数と、前記ブロック内の後方側bitでの「０」を「１」とした誤り発生回数と、前記ブロック内の後方側bitでの「１」を「０」とした誤り発生回数との比較結果の検出であることを特徴とする請求項１記載の誤り訂正方法。
【請求項４】
記録媒体から読出したBi-phase変調された信号をBi-phase復調する際に、前記信号中におけるBi-phase変調規則の誤りを検出して訂正する誤り訂正装置において、
前記信号中の同期信号領域における誤り発生の傾向を検出する検出手段と、
この検出手段で検出された前記誤り発生の傾向に基づいて前記信号中のデータ領域における誤りの訂正を制御する訂正制御手段とを具備することを特徴とする誤り訂正装置。
【請求項５】
前記検出手段は、前記同期信号領域を２bitごとのブロックに区分して、前記ブロック内の前方側bitでの誤り発生回数と、前記ブロック内の後方側bitでの誤り発生回数との比較結果を検出することを特徴とする請求項４記載の誤り訂正装置。
【請求項６】
前記検出手段は、前記同期信号領域を２bitごとのブロックに区分して、前記ブロック内の前方側bitでの「０」を「１」とした誤り発生回数と、前記ブロック内の前方側bitでの「１」を「０」とした誤り発生回数と、前記ブロック内の後方側bitでの「０」を「１」とした誤り発生回数と、前記ブロック内の後方側bitでの「１」を「０」とした誤り発生回数との比較結果を検出することを特徴とする請求項４記載の誤り訂正装置。
【発明の詳細な説明】
【０００１】
【発明の属する技術分野】
本発明は、記録媒体にあらかじめ記録されているウォブル信号を読出した際に発見した信号の誤りを訂正する誤り訂正方法及び誤り訂正装置に関するものである。
【０００２】
【従来の技術】
従来、ＣＤ−Ｒ（Compact Disk−Recordable）やＣＤ−ＲＷ（Compact Disk−ReWritable）のような記録媒体に所要のデータを記録する場合には、記録媒体上の特定位置の物理的アドレス情報を知る必要がある。
【０００３】
この物理的アドレス情報は、同期コード、誤り検出コードを付加した後にBi-phase変調し、その後ＦＭ変調することによりウォブル信号を原盤に記録し、スタンパを作成して、このスタンパによりＣＤ−Ｒ、ＣＤ−ＲＷにウォブル信号を記録している。
【０００４】
そして、記録媒体から物理的アドレス情報であるデータを読出す場合には、データ再生装置を用い、記録媒体からウォブル信号を読出し、読出したウォブル信号に対してＦＭ復調を行い、さらにBi-phase復調を行うことによって行っている。
【０００５】
ここで、原盤に記録するウォブル信号を生成すべくBi-phase変調を行う場合には、例えば記録媒体がＣＤ−Ｒの場合、図４に示すように、４bitの同期信号領域と３８bitのデータ領域とから構成した１フレーム４２bitのATIP(Absolute Time in Pre-groove)信号を生成し、かかるATIP信号に対してBi-phase変調を行っている。
【０００６】
Bi-phase変調とは、２進数表示されたデータの「０」を「００」または「１１」に、「１」を「０１」または「１０」に変調するものであり、特に、変調後の２bit単位のブロックにおけるブロックの区切りごとに必ずbit反転を行うものである。
【０００７】
すなわち、Bi-phase変調前のデータが「００１０１０１１」であるとすると、Bi-phase変調されたデータは、「００  １１  ０１  ００  １０  １１  ０１  ０１」と表すことができる。
【０００８】
説明の便宜上、「Bi-phase変調後の２bit単位のブロックにおけるブロックの区切りごとに必ずbit反転を行う」という変調規則を「Bi-phase変調規則」と呼ぶことにする。また、Bi-phase変調後の２bit単位としたブロック内の前方側における１bitを「前方側bit」、Bi-phase変調後の２bit単位としたブロック内の後方側における１bitを「後方側bit」と呼ぶことにする。
【０００９】
Bi-phase変調において、同期信号領域はBi-phase変調規則の例外としており、Bi-phase変調後の同期信号領域には、「１１１０１０００」または「０００１０１１１」のいずれか一方を同期信号として使用することと定めている。
【００１０】
そして、記録媒体から読出したウォブル信号にＦＭ復調を行って生成したＦＭ復調信号に対して、「１１１０１０００」または「０００１０１１１」の領域の検出処理を行うことにより１フレームごとのATIP信号の検出を可能とし、検出した各ATIP信号においてデータ領域中のデータを正確に２bit単位のブロックに区分して、正確なBi-phase復調の実施を可能としている。
【００１１】
しかしながら、データ再生装置では、記録媒体からのデータの読出しにおいて常に正確な読出しが実行できるとは限らず、データの読出し時の各種要因にともなうエラー、あるいは場合によっては記録媒体の傷及びスタンパに起因するエラーによって、再生したデータにはある程度の確率で誤りが発生している。
【００１２】
そこで、通常は、再生したデータが誤っているかどうかを確認すべく、各データには誤り検出コードとしてのＣＲＣ（巡回冗長検査）符号を付加し、かかるＣＲＣ符号を用いた誤りの検出を行っている。そして、誤りが検出された場合には、誤りを含むデータを排除して、正しいデータのみを使用することとしている。
【００１３】
このように記録媒体から読出したデータに誤りが含まれている場合の一つとして、Bi-phase復調前のATIP信号においてbit反転が生じていることがあり、このbit反転にともなってBi-phase復調において誤った復調が実行され、データに誤りが生じる場合がある。
【００１４】
図５を用いて具体的に説明すると、図５（ａ）に示すように、Bi-phase復調前に例えば「００  １０  １１  ０１  ０１」が正しいデータであった場合に、記録媒体から読出したBi-phase復調前のデータが、図５（ｂ）に示すように、例えば前から５番目のbitにおいてbit反転が生じた「００  １０  ０１  ０１  ０１」であったとすると、Bi-phase復調によって「０１０１１」と復調されるべきデータが「０１１１１」と復調されることとなる。
【００１５】
ここで、図５（ｂ）のデータは、前から４番目のbitと、前から５番目のbitとにおいて、２bitごとに構成したブロックにおけるブロックの区切り前後でbit反転を行うというBi-phase変調規則を満たしていないことが明らかであり、Bi-phase復調前に既に信号に誤りがあることを検出することができる。
【００１６】
したがって、このことを利用して、Bi-phase復調を行う場合には、Bi-phase変調規則からの逸脱を検出し、検出にともなって信号の訂正を行った後にBi-phase復調を実施することが行われている。
【００１７】
ただし、このようにBi-phase変調規則からの逸脱を検出した場合でも、Bi-phase変調規則から逸脱したブロックの区切りにおいて、前側ブロックの後方側bit（図５では前から４番目のbit）と後側ブロックの前方側bit（図５では前から５番目のbit）のどちらにおいてbit反転が生じたかを判別することは不可能であり、例えば図５（ｃ）に示すように、前側ブロックの後方側bitを訂正して「００１１  ０１  ０１  ０１」とすることも可能である。
【００１８】
しかし、これは誤訂正であって、Bi-phase復調を行った場合に正しい信号を得ることができないため、訂正を行ったにもかかわらずＣＲＣ符号による誤り検出によって誤りとして検出されることとなる。
【００１９】
このように、Bi-phase復調を行う場合には、Bi-phase変調規則からの逸脱部分において、前後に隣接する２つのブロックで前側ブロックの後方側bitと後側ブロックの前方側bitのいずれか一方のみを強制的にbit反転させることにより、理論的に約５０％の確率で誤りの訂正を行うことが想定される。そして、仮に誤訂正を行った場合でも、ＣＲＣ符号を用いた誤りの検出で誤訂正したデータを排除することができるので、元来のエラーレートが増加することはない。
【００２０】
【発明が解決しようとする課題】
しかしながら、Bi-phase復調前のATIP信号におけるBi-phase変調規則からの逸脱部分において、前後に隣接した２つのブロックで前側ブロックの後方側bitに誤りがある場合と、後側ブロックの前方側bitに誤りがある場合とで発生頻度に偏りが生じ、発生頻度の少ない方に対してのみ訂正処理を行うこととなった場合には、誤訂正の確率を高くしてしまうという問題があった。
【００２１】
特に、記録媒体がＣＤ−ＲやＣＤ−ＲＷの場合には、記録媒体における内外周の差や、記録媒体自体の特性等に起因して、Bi-phase変調規則から逸脱した際の誤りの発生傾向に偏りが生じる可能性があり、訂正の実行による読出精度の向上がはかれないおそれがあった。
【００２２】
【課題を解決するための手段】
そこで、本発明の誤り訂正方法では、記録媒体から読出したBi-phase変調された信号をBi-phase復調する際に、信号中におけるBi-phase変調規則の誤りを検出して訂正する誤り訂正方法において、信号中の同期信号領域における誤り発生の傾向を検出し、この誤り発生の傾向に基づいて信号中のデータ領域で検出した誤りを訂正することとした。
【００２３】
さらに、誤り発生の傾向の検出を、同期信号領域を２bitごとのブロックに区分して、ブロック内の前方側bitでの誤り発生回数と、ブロック内の後方側bitでの誤り発生回数との比較結果の検出としたこと、あるいは、誤り発生の傾向の検出を、同期信号領域を２bitごとのブロックに区分して、ブロック内の前方側bitでの「０」を「１」とした誤り発生回数と、ブロック内の前方側bitでの「１」を「０」とした誤り発生回数と、ブロック内の後方側bitでの「０」を「１」とした誤り発生回数と、ブロック内の後方側bitでの「１」を「０」とした誤り発生回数との比較結果の検出としたことにも特徴を有するものである。
【００２４】
また、本発明の誤り訂正装置では、記録媒体から読出したBi-phase変調された信号をBi-phase復調する際に、信号中におけるBi-phase変調規則の誤りを検出して訂正する誤り訂正装置において、信号中の同期信号領域における誤り発生の傾向を検出する検出手段と、この検出手段で検出された誤り発生の傾向に基づいて信号中のデータ領域における誤りの訂正を制御する訂正制御手段とを具備することとした。
【００２５】
さらに、検出手段が、同期信号領域を２bitごとのブロックに区分して、ブロック内の前方側bitでの誤り発生回数と、ブロック内の後方側bitでの誤り発生回数との比較結果を検出すること、あるいは、検出手段が、同期信号領域を２bitごとのブロックに区分して、ブロック内の前方側bitでの「０」を「１」とした誤り発生回数と、ブロック内の前方側bitでの「１」を「０」とした誤り発生回数と、ブロック内の後方側bitでの「０」を「１」とした誤り発生回数と、ブロック内の後方側bitでの「１」を「０」とした誤り発生回数との比較結果を検出することにも特徴を有するものである。
【００２６】
【発明の実施の形態】
本発明の誤り訂正方法及び誤り訂正装置では、Bi-phase復調前のATIP信号に含まれる同期信号を利用することにより、Bi-phase復調前のATIP信号に生じたBi-phase変調規則の誤り発生の傾向を正確に学習して、この誤り発生の傾向に基づいてATIP信号中のデータ領域部分に発生したBi-phase変調規則の誤りを訂正し、正しい訂正の実施率を高めて記録媒体からのデータの読出精度を向上させているものである。
【００２７】
すなわち、Bi-phase復調前のATIP信号には、同期信号領域とデータ領域との区別なくbit反転が生じてBi-phase変調規則からの逸脱が生じており、このとき、同期信号領域では正しい同期信号が予め分かっていることによって、bit反転が生じた場合にはどのbitにおいてbit反転が生じたかを正確に検出することができ、これによりbit反転による誤り発生の傾向を検出することができるものである。
【００２８】
そして、データ領域においてbit反転が発生し、Bi-phase変調規則からの逸脱が生じた場合には、同期信号領域で生じたbit反転による誤り発生の傾向と同一の傾向に基づいてbit反転が発生したものと考えて、かかる誤り発生傾向に基づいて所定のbitを反転させて訂正を行うことにより、正しい訂正ができる確率を高めているものである。
【００２９】
特に、記録媒体からのウォブル信号の読出しにおける読出精度のバラツキや、記録媒体の内外周における記録位置の差等に起因してbit反転による誤り発生の傾向が異なる場合に、その誤り発生傾向を確実に学習することができるので、その誤り発生傾向に基づいて訂正を実施することにより、記録媒体からのデータの読出精度を向上させることができる。
【００３０】
誤り発生傾向の検出としては、Bi-phase復調前の同期信号を２bitごとのブロックに区分して、ブロック内の前方側bitでの誤り発生回数と、ブロック内の後方側bitでの誤り発生回数とを計測し、その比較結果を検出することによって行うことができる。そして、前方側bitでの誤り発生回数が多ければ、データ領域におけるBi-phase変調規則からの逸脱部分において、前後に隣接する２つのブロックの後側ブロックにおける前方側bitを訂正し、後方側bitでの誤り発生回数が多ければ、データ領域におけるBi-phase変調規則からの逸脱部分において、前後に隣接する２つのブロックの前側ブロックにおける後方側bitを訂正することによって、高い確率でデータの正しい訂正を行うことができる。
【００３１】
また、誤り発生傾向の検出としては、Bi-phase復調前の同期信号を２bitごとのブロックに区分して、ブロック内の前方側bitでの「０」を「１」とした誤り発生回数と、ブロック内の前方側bitでの「１」を「０」とした誤り発生回数と、ブロック内の後方側bitでの「０」を「１」とした誤り発生回数と、ブロック内の後方側bitでの「１」を「０」とした誤り発生回数とを計測し、これら４つの誤りの形態におけるそれぞれの誤り発生回数の比較結果を検出することによって行うこともできる。
【００３２】
図１を用いて４つの誤りの形態を具体的に説明すると、図１（ａ）に示すように「０００１０１１１」が正しい同期信号の場合には、４つの誤りの形態は以下のようになる。
【００３３】
すなわち、ブロック内の前方側bitにおいて「０」が「１」となっている第１形態の誤りとは、図１（ｂ）に示すように同期信号における前から１番目のbit、または前から３番目のbit、または前から５番目のbitのいずれかに誤りが発生している場合である。
【００３４】
ブロック内の前方側bitにおいて「１」が「０」となっている第２形態の誤りとは、図１（ｃ）に示すように同期信号における前から７番目のbitに誤りが発生している場合である。
【００３５】
ブロック内の後方側bitにおいて「０」が「１」となっている第３形態の誤りとは、図１（ｄ）に示すように同期信号における前から２番目のbitに誤りが発生している場合である。
【００３６】
ブロック内の後方側bitにおいて「１」が「０」となっている第４形態の誤りとは、図１（ｅ）に示すように同期信号における前から４番目のbit、または前から６番目のbit、または前から８番目のbitのいずれかに誤りが発生している場合である。
【００３７】
これら４つの形態に対してそれぞれ誤り発生回数を計測し、その計測結果を比較することにより誤り発生の傾向をより正確に学習することができる。
【００３８】
さらに、「１１１０１０００」を同期信号とした場合にも、同様にして誤り発生傾向を学習することができ、このようにして得られた誤り発生傾向を用いてデータ領域に発生したBi-phase変調規則からの逸脱部分の訂正を行うことにより、より精度よくデータの正しい訂正を行うことができる。
【００３９】
以下において、図面に基づいて本発明の誤り訂正装置を詳説する。
【００４０】
図２は、本発明の誤り訂正装置Ａの構成説明用ブロック図であり、同誤り訂正装置Ａをデータ再生装置Ｂに装着した状態を示している。なお、以下において記録媒体１はＣＤ−Ｒとして説明するが、ＣＤ−Ｒに限定するものではなく、それ以外の同様の記録媒体に対して同様に適用可能である。
【００４１】
データ再生装置Ｂでは、読出制御装置２によってディスク回転用モータ３を作動制御して記録媒体１を回転させるとともに、読出制御装置２によって光ピックアップを含む光学読取装置４を作動制御して記録媒体１からウォブル信号４ｓを読出し、かかるウォブル信号４ｓをＦＭ復調回路からなるＦＭ復調部５に入力し、ＦＭ復調を行ってＦＭ復調信号５ｓを生成している。
【００４２】
かかるＦＭ復調信号５ｓはBi-phase復調前のATIP信号となっており、このＦＭ復調信号５ｓをATIP信号検出回路からなるATIP信号検出部６に入力して、ATIP信号中の同期信号領域を検出して１フレームずつのATIP信号６ｓを検出している。
【００４３】
ATIP信号検出部６で検出したATIP信号６ｓは信号訂正部７に入力し、同信号訂正部７においてATIP信号６ｓのデータ領域中におけるBi-phase変調規則からの逸脱部分を検出し、所要のbitをbit反転させることによりBi-phase変調規則からの逸脱の訂正を行い、訂正済みATIP信号７ｓを出力している。
【００４４】
そして、信号訂正部７から出力した訂正済みATIP信号７ｓをBi-phase復調回路からなるBi-phase復調部８に入力してBi-phase復調を行い、再生ATIP信号８ｓを生成している。
【００４５】
Bi-phase復調部８で生成し、出力した再生ATIP信号８ｓは、ＣＲＣ（巡回冗長検査）処理回路からなるＣＲＣ処理部９に入力し、再生ATIP信号８ｓのデータ領域に組み込んだＣＲＣ符号を用いて再生ATIP信号８ｓ中のデータ信号の正誤判定を行い、誤再生されたデータ信号は排除して、正しく再生されたデータ信号９ｓのみを出力している。
【００４６】
本発明の要部は、上記したデータ再生装置Ｂに、検出手段としての誤り発生傾向検出部10と、訂正制御手段としての誤り訂正制御部11とからなる誤り訂正装置Ａを設け、信号訂正部７でのbit反転による訂正処理を制御するものである。
【００４７】
誤り発生傾向検出部10には、ATIP信号検出部６で検出したATIP信号６ｓの同期信号領域における同期信号を逐次入力すべく構成している。
【００４８】
そして、誤り発生傾向検出部10では、ATIP信号検出部６から入力された同期信号中における誤りの検出を行っている。また、このとき、誤り発生傾向検出部10には、読出したATIP信号６ｓが記録媒体１のどの部分、すなわち内周部分のものであるのか、外周部分のものであるのかなどの位置情報や、記録媒体１に対する読出速度の情報等も入力している。このような位置情報や読出速度の情報等をまとめて「読出条件情報」と呼ぶことにする。
【００４９】
誤り発生傾向検出部10では、ATIP信号検出部６から入力された同期信号と、正しい同期信号、すなわち「１１１０１０００」または「０００１０１１１」との比較を行ってbit反転の発生による誤りの検出を行っている。このとき、誤り発生傾向検出部10では、入力された同期信号を２bitごとのブロックに区分して、ブロック内の前方側bitでの誤り発生と、ブロック内の後方側bitでの誤り発生とを検出している。
【００５０】
さらに、誤り発生傾向検出部10では、所定の読出条件情報の範囲ごとに、ブロック内の前方側bitでの誤り発生回数と、ブロック内の後方側bitでの誤り発生回数とを計測し、発生回数の比較を行うことにより、前方側bitと後方側bitのどちらで誤りが多く発生しているかを判別し、判別結果を誤り発生傾向として読出条件情報とともに誤り訂正制御部11に入力している。
【００５１】
なお、誤り発生傾向検出部10では、ブロック内の前方側bitでの誤り発生回数と、ブロック内の後方側bitでの誤り発生回数とを計測するのではなく、ブロック内の前方側bitでの誤り発生回数と、ブロック内の後方側bitでの誤り発生回数との差を計測すべく構成してもよい。すなわち、１つの計測器を設け、例えばブロック内の前方側bitで誤りが生じた場合には計測器に「１」を加算し、ブロック内の後方側bitで誤りが生じた場合には計測器に「−１」を加算し、計測器の値が「正」であれば前方側bitにおいて後方側bitよりも多くの誤りが発生し、計測器の値が「負」であれば後方側bitにおいて前方側bitよりも多くの誤りが発生していると判別し、かかる判別結果を誤り発生傾向として読出条件情報とともに誤り訂正制御部11に入力すべく構成することもできる。
【００５２】
誤り訂正制御部11では、誤り発生傾向検出部10から入力された読出条件情報と誤り発生傾向情報に基づいて、信号訂正部７の作動を制御している。すなわち、所定の読出条件情報において読出されたATIP信号６ｓのデータ領域に対して、信号訂正部７においてBi-phase変調規則からの逸脱を発見した際に、かかる読出条件情報においてブロック内の前方側bitの方がブロック内の後方側bitよりも誤りが多く発生していた場合には、Bi-phase変調規則からの逸脱部分において、前後に隣接する２つのブロックの後側ブロックにおける前方側bitに対してbit反転を行い、ブロック内の後方側bitの方がブロック内の前方側bitよりも誤りが多く発生していた場合には、Bi-phase変調規則からの逸脱部分において、前後に隣接する２つのブロックの前側ブロックにおける後方側bitに対してbit反転を行うように信号訂正部７の作動を制御している。
【００５３】
誤り発生傾向検出部10では、入力された同期信号を２bitごとのブロックに区分して、ブロック内の前方側bitでの誤り発生と、ブロック内の後方側bitでの誤り発生とを検出するだけでなく、ブロック内の前方側bitにおいて「０」が「１」となっている誤り発生と、ブロック内の前方側bitにおいて「１」が「０」となっている誤り発生と、ブロック内の後方側bitにおいて「０」が「１」となっている誤り発生と、ブロック内の後方側bitにおいて「１」が「０」となっている誤り発生とをそれぞれ検出すべく構成することもできる。
【００５４】
そして、それぞれの誤り発生回数を計測し、この計測結果の比較結果を誤り発生傾向として読出条件情報とともに誤り訂正制御部11に入力し、信号訂正部７の作動を制御してATIP信号６ｓのデータ領域に発見したBi-phase変調規則からの逸脱を訂正すべく構成することもできる。
【００５５】
最後に、図３のフローチャートを用いて処理フローについて説明する。
【００５６】
まず、データ再生装置Ｂにおいて記録媒体１から読出したＦＭ復調信号5sをATIP信号検出部６に入力する（ステップＳ１）。
【００５７】
同ATIP信号検出部６においてＦＭ復調信号5sからBi-phase復調前のATIP信号における同期信号を検出し、この同期信号を誤り発生傾向検出部10に入力する（ステップＳ２）。なお、このとき、誤り発生傾向検出部10には読出条件情報とともに入力する。
【００５８】
ATIP信号検出部６における同期信号の検出の際に、同期信号にbit反転が生じていた場合には、正しい同期信号との比較から同期信号の検出は行えないが、１フレームのATIP信号の長さが所定値（Bi-phase復調前で８４bit）に決まっていることによって、ATIP信号の長さ情報を利用して同期信号を検出している。
【００５９】
誤り発生傾向検出部10では、入力された同期信号を２bitごとのブロックに区分して、誤り発生の検出を行う（ステップＳ３）。
【００６０】
誤りを検出した場合には、誤り発生傾向検出部10では、上記したようにブロック内の前方側bitでの誤り発生回数と、ブロック内の後方側bitでの誤り発生回数とを計測し、計測結果を比較することにより誤り発生傾向を学習する（ステップＳ４）。または、誤り発生傾向検出部10では、ブロック内の前方側bitにおいて「０」が「１」となっている誤り発生回数と、ブロック内の前方側bitにおいて「１」が「０」となっている誤り発生回数と、ブロック内の後方側bitにおいて「０」が「１」となっている誤り発生回数と、ブロック内の後方側bitにおいて「１」が「０」となっている誤り発生回数とを計測し、計測結果を比較することにより誤り発生傾向を学習してもよい。学習した誤り発生傾は、読出条件情報とともに誤り訂正制御部11に入力する。
【００６１】
ステップＳ３において誤りを検出しなかった場合、及び誤りの検出にともなって誤り発生傾向を学習した後に、予め設定しておいた誤り発生傾向の学習条件の達成による学習した誤り発生傾向での誤りの訂正を開始するかどうかを判定する（ステップＳ５）。ここで、学習条件とは、同期信号における所定数の誤り発見件数等である。
【００６２】
誤り発生傾向の学習条件が満たされていなかった場合には、誤り訂正制御部11は予め設定しておいた初期訂正条件に基づいて信号訂正部７を制御し、ATIP信号６ｓのデータ領域に発見したBi-phase変調規則からの逸脱を訂正する（ステップＳ６）。ここで、初期訂正条件とは、データ領域に発見したBi-phase変調規則からの逸脱に対して、前後に隣接する２つのブロックで前側ブロックの後方側bitと後側ブロックの前方側bitのいずれか一方のみを強制的にbit反転させる訂正を行うものである。
【００６３】
誤り発生傾向の学習条件が満たされていた場合には、誤り訂正制御部11は学習した誤り発生傾向に基づいて信号訂正部７を制御し、ATIP信号６ｓのデータ領域に発見したBi-phase変調規則からの逸脱を訂正する（ステップＳ７）。すなわち、例えば、同期信号においてブロック内の前方側bitの方が後方側bitよりも誤りが多く発生していた場合には、データ領域に発見したBi-phase変調規則からの逸脱部分において、前後に隣接する２つのブロックの後側ブロックにおける前方側bitに対してbit反転を行い、同期信号においてブロック内の後方側bitの方が前方側bitよりも誤りが多く発生していた場合には、データ領域に発見したBi-phase変調規則からの逸脱部分において、前後に隣接する２つのブロックの前側ブロックにおける後方側bitに対してbit反転を行うように信号訂正部７の作動を制御している。
【００６４】
そして、その後、ATIP信号の入力が終了していなければ（ステップＳ８）、ATIP信号検出部６に次のBi-phase復調前のATIP信号を入力し、上記した処理を繰り返す。一方、ATIP信号の入力が終了していた場合には、処理を終了する。
【００６５】
以上のように、誤り発生傾向を学習し、かかる誤り発生傾向に基づいてATIP信号６ｓのデータ領域に発見したBi-phase変調規則からの逸脱を訂正することにより、誤訂正の実施を抑制することができる。これにより、ＣＲＣ処理部９において、再生したデータ信号が誤再生されたデータ信号として排除されることを抑制でき、記録媒体１からのデータ信号の読出精度を向上させることができる。
【００６６】
上記した説明では、ＦＭ復調信号5sのATIP信号検出部６への入力開始から、誤り発生傾向の学習が終了するまでは、初期訂正条件に基づいてデータ領域に発見したBi-phase変調規則からの逸脱の訂正を行うために、その間における誤訂正を行う可能性が高くなるおそれがある。
【００６７】
そこで、誤り発生傾向を学習するための予備読込みを行って誤り発生傾向を学習し、その学習の後にＦＭ復調信号5sのATIP信号検出部６への入力を開始し、最初から誤り発生傾向に基づいてデータ領域に発見したBi-phase変調規則からの逸脱の訂正を行うべく構成してもよい。
【００６８】
【発明の効果】
請求項１記載の発明によれば、信号中の同期信号領域における誤り発生の傾向を検出し、この誤り発生の傾向に基づいて信号中のデータ領域で検出した誤りを訂正することによって、データ領域中の誤りを正確に訂正する確率を向上させることができ、記録媒体からのデータの読出精度を向上させることができる。
【００６９】
請求項２記載の発明によれば、信号中の同期信号領域における誤り発生傾向の検出を、２bitごとのブロックに区分した同期信号のブロック内の前方側bitでの誤り発生回数と、ブロック内の後方側bitでの誤り発生回数との比較結果の検出としたことによって、誤りの発生傾向を正確に学習することができ、データの訂正を正しく行う確率を高めて、記録媒体からのデータの読出精度を向上させることができる。
【００７０】
請求項３記載の発明によれば、信号中の同期信号領域における誤り発生傾向の検出を、２bitごとのブロックに区分した同期信号のブロック内の前方側bitでの「０」を「１」とした誤り発生回数と、ブロック内の前方側bitでの「１」を「０」とした誤り発生回数と、ブロック内の後方側bitでの「０」を「１」とした誤り発生回数と、ブロック内の後方側bitでの「１」を「０」とした誤り発生回数との比較結果の検出としたことによって、誤りの発生傾向を正確に学習することができ、データの訂正を正しく行う確率を高めて、記録媒体からのデータの読出精度を向上させることができる。
【００７１】
請求項４記載の発明によれば、記録媒体から読出したBi-phase変調された信号をBi-phase復調する際に、信号中におけるBi-phase変調規則の誤りを検出して訂正する誤り訂正装置において、信号中の同期信号領域における誤り発生の傾向を検出する検出手段と、この検出手段で検出された誤り発生の傾向に基づいて信号中のデータ領域における誤りの訂正を制御する訂正制御手段とを設けたことによって、請求項１記載の発明と同様にデータ領域中のデータを正確に訂正する確率を向上させることができ、記録媒体からのデータの読出精度を向上させることができる。
【００７２】
請求項５記載の発明によれば、同期信号を２bitごとのブロックに区分して、ブロック内の前方側bitでの誤り発生回数と、ブロック内の後方側bitでの誤り発生回数との比較結果を検出することを検出手段としたことによって、請求項２記載の発明と同様に、誤りの発生傾向を正確に学習することができ、データの訂正を正しく行う確率を高めて、記録媒体からのデータの読出精度を向上させることができる。
【００７３】
請求項６記載の発明によれば、同期信号を２bitごとのブロックに区分して、ブロック内の前方側bitでの「０」を「１」とした誤り発生回数と、ブロック内の前方側bitでの「１」を「０」とした誤り発生回数と、ブロック内の後方側bitでの「０」を「１」とした誤り発生回数と、ブロック内の後方側bitでの「１」を「０」とした誤り発生回数との比較結果を検出することを検出手段としたことによって、請求項３記載の発明と同様に、誤りの発生傾向を正確に学習することができ、データの訂正を正しく行う確率を高めて、記録媒体からのデータの読出精度を向上させることができる。
【図面の簡単な説明】
【図１】同期信号における誤り発生パターンの説明図である。
【図２】本発明にかかる誤り訂正装置を装着したデータ再生装置の説明図である。
【図３】本発明にかかる誤り訂正装置の動作を説明するフローチャートである。
【図４】ATIP信号の説明図である。
【図５】bit反転の発生による誤り発生と、かかる誤りの誤訂正の説明図である。
【符号の説明】
Ａ    誤り訂正装置
Ｂ    データ再生装置
１    記録媒体
２    読出制御装置
３    ディスク回転用モータ
４    光学読取装置
５    ＦＭ復調部
６    ATIP信号検出部
７    信号訂正部
８    Bi-phase復調部
９    ＣＲＣ処理部
10    誤り発生傾向検出部
11    誤り訂正制御部
４ｓ  ウォブル信号
５ｓ  ＦＭ復調信号
６ｓ  ATIP信号
７ｓ  訂正済みATIP信号
８ｓ  再生ATIP信号
９ｓ  データ信号
【図１】
2004199751.tif 000003
【図２】
2004199751.tif 000004
【図３】
2004199751.tif 000005
【図４】
2004199751.tif 000006
【図５】
2004199751.tif 000007